(57)【要約】【課題】  携帯端末装置が、装着したカメラユニットに対応して最適な処理動作を行なう携帯端末装置用カメラユニットシステムを提供する。【解決手段】  カメラユニット４は、撮像手段２６と、所定の通信先を特定するアドレス情報を記憶するカメラ側記憶手段２８とを備え、携帯端末装置２は、通信手段４２と、カメラ側記憶手段からアドレス情報を取得する情報取得手段３２と、アドレス情報を記憶する端末側記憶手段４０とを備え、携帯端末装置は、端末側記憶手段に記憶されているアドレス情報と情報取得手段が取得したアドレス情報とが相違した場合、通信手段により情報取得手段が取得したアドレス情報が示す通信先に通信処理を行なうようにした。【選択図】      図４
2006067289.tif 000002
【特許請求の範囲】
【請求項１】
カメラユニットと該カメラユニットを装着可能な携帯端末装置とからなる携帯端末装置用カメラユニットシステムであって、
前記カメラユニットは、
撮像手段と、
所定の通信先を特定するアドレス情報を記憶するカメラ側記憶手段とを備え、
前記携帯端末装置は、
通信手段と、
前記カメラ側記憶手段から前記アドレス情報を取得する情報取得手段と、
前記アドレス情報を記憶する端末側記憶手段とを備え、
前記携帯端末装置は、前記端末側記憶手段に記憶されているアドレス情報と前記情報取得手段が取得したアドレス情報とが相違した場合、前記通信手段により前記情報取得手段が取得したアドレス情報が示す通信先に通信処理を行なうことを特徴とする携帯端末装置用カメラユニットシステム。
【請求項２】
前記携帯端末装置は、前記カメラユニットの装着を検知する検知手段を更に備え、
前記携帯端末装置は、前記検知手段により前記カメラユニットの装着を検知した場合に、前記端末側記憶手段に記憶されているアドレス情報と前記情報取得手段が取得したアドレス情報との相違を判断する請求項１に記載の携帯端末装置用カメラユニットシステム。
【請求項３】
カメラユニットと該カメラユニットを装着可能な携帯端末装置とからなる携帯端末装置用カメラユニットシステムであって、
前記カメラユニットは、
撮像手段と、
前記カメラユニットを識別する識別情報を記憶するカメラ側記憶手段とを備え、
前記携帯端末装置は、
通信手段と、
前記カメラ側記憶手段から前記識別情報を取得する情報取得手段と、
前記識別情報を記憶する端末側記憶手段とを備え、
前記携帯端末装置は、前記端末側記憶手段に記憶されている識別情報と前記情報取得手段が取得した識別情報とが相違した場合、前記通信手段により所定の通信先に対して通信処理を行なうことを特徴とする携帯端末装置用カメラユニットシステム。
【請求項４】
前記携帯端末装置は、前記カメラユニットの装着を検知する検知手段を更に備え、
前記携帯端末装置は、前記検知手段により前記カメラユニットの装着を検知した場合に、前記端末側記憶手段に記憶されている識別情報と前記情報取得手段が取得した識別情報との相違を判断する請求項３に記載の携帯端末装置用カメラユニットシステム。
【請求項５】
前記携帯端末装置は、前記カメラユニット側に記憶されているアドレス情報を取得し、該アドレス情報が示す通信先に通信処理を行なうことを特徴とする請求項３又は４に記載の携帯端末装置用カメラユニットシステム。
【請求項６】
前記携帯端末装置は、前記カメラユニットを制御する制御手段を更に備え、
前記通信処理により前記カメラユニットを制御するプログラム又はデータを取得し、前記制御手段は該取得したプログラム又はデータに基づき前記カメラユニットを制御する請求項１ないし５のいずれかに記載の携帯端末装置用カメラユニットシステム。
【請求項７】
前記携帯端末装置は、電話機能を前記通信手段に更に備え、
前記通信手段が前記電話機能実行中に前記相違を判断した場合、該実行が終了した後、前記通信手段により前記通信先に通信処理を行なう請求項１ないし６のいずれかに記載の携帯端末装置用カメラユニットシステム。
【請求項８】
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
所定の通信先を特定するアドレス情報を記憶したカメラ側記憶手段と、
前記撮像手段を制御すると共に、前記アドレス情報を前記カメラ側記憶手段から読み出して出力するカメラ側制御手段とを有し、
前記携帯端末装置は、
前記アドレス情報を一時的に記憶するアドレス情報一時保存領域と、アドレス情報を予め継続的に記憶するアドレス情報継続保存領域とを有する端末側記憶手段と、
前記カメラ側制御手段が出力した前記アドレス情報を取得して、このアドレス情報を前記アドレス情報一時保存領域に格納する情報取得手段と、
前記アドレス情報一時保存領域と前記アドレス情報継続保存領域のそれぞれに記憶されているアドレス情報が相違するかどうかについて比較して、この結果を出力する比較手段と、
回線網に接続可能な通信手段と、
前記比較手段から、前記アドレス情報一時保存領域と前記アドレス情報継続保存領域のそれぞれに記憶されているアドレス情報が相違する旨の結果を受信した場合に、アドレス情報一時保存領域のアドレス情報が示す通信先との間で前記通信手段に所定の通信処理を行なわせるように制御すると共に、アドレス情報継続保存領域のアドレス情報をアドレス情報一時保存領域のアドレス情報に変更して記憶させるように制御する端末側制御手段とを有する
ことを特徴とする携帯端末装置用カメラユニットシステム。
【請求項９】
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
所定の通信先を特定するアドレス情報、及びカメラユニットを識別するための識別情報を記憶したカメラ側記憶手段と、
前記撮像手段を制御すると共に、前記アドレス情報と前記識別情報を前記カメラ側記憶手段から読み出して出力するカメラ側制御手段とを有し、
前記携帯端末装置は、
前記アドレス情報を一時的に記憶するアドレス情報一時保存領域と、前記識別情報を一時的に記憶する識別情報一時保存領域と、識別情報を継続的に記憶する識別情報継続保存領域とを有する端末側記憶手段と、
前記カメラ側制御手段が出力した前記アドレス情報と前記識別情報を取得して、アドレス情報を前記アドレス情報一時保存領域に格納すると共に、識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報一時保存領域のアドレス情報が示す通信先との間で前記通信手段に所定の通信を行なわせるように制御すると共に、識別情報継続保存領域の識別情報を識別情報一時保存領域の識別情報に変更して記憶させるように制御する端末側制御手段とを有する
ことを特徴とする携帯端末装置用カメラユニットシステム。
【請求項１０】
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
カメラユニットを識別するための識別情報を記憶したカメラ側記憶手段と、
前記撮像手段を制御すると共に、前記識別情報を前記カメラ側記憶手段から読み出して出力するカメラ側制御手段とを有し、
前記携帯端末装置は、
前記識別情報を一時的に記憶する識別情報一時保存領域と、識別情報を継続的に記憶する識別情報継続保存領域と、所定の通信先を特定するアドレス情報が予め記憶されているアドレス情報継続保存領域とを有する端末側記憶手段と、
前記カメラ側制御手段が出力した前記識別情報を取得して、この識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報が示す通信先との間で、前記通信手段に所定の通信を行なわせるように制御すると共に、識別情報継続保存領域の識別情報を識別情報一時保存領域の識別情報に変更して記憶させるように制御する端末側制御手段とを有する
ことを特徴とする携帯端末装置用カメラユニットシステム。
【請求項１１】
撮像手段を有し、所定の携帯端末装置に着脱自在で交換可能になっているカメラユニットであって、
所定の通信先を特定するアドレス情報、及び／又はカメラユニットを識別するための識別情報を記憶したカメラ側記憶手段と、
前記撮像手段を制御すると共に、前記アドレス情報及び／又は識別情報を前記カメラ側記憶手段から読み出して出力するカメラ側制御手段と
を備えていることを特徴とするカメラユニット。
【請求項１２】
カメラユニットと該カメラユニットを装着可能な携帯端末装置とからなる携帯端末装置用カメラユニットシステムに用いられる携帯端末装置であって、
通信手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記通信手段により前記情報取得手段が取得したアドレス情報が示す通信先に通信処理を行なうことを特徴とする携帯端末装置。
【請求項１３】
前記カメラユニットの装着を検知する検知手段を更に備え、
前記検知手段により前記カメラユニットの装着を検知した場合に、前記端末側記憶手段に記憶されているアドレス情報と前記情報取得手段が取得したアドレス情報との相違を判断する請求項１２に記載の携帯端末装置。
【請求項１４】
カメラユニットと該カメラユニットを装着可能な携帯端末装置とからなる携帯端末装置用カメラユニットシステムに用いられる携帯端末装置であって、
通信手段と、
前記カメラユニットが保持する識別情報を取得する情報取得手段と、
前記識別情報を記憶する端末側記憶手段とを備え、
前記端末側記憶手段に記憶されている識別情報と前記情報取得手段が取得した識別情報とが相違した場合、前記通信手段により所定の通信先に対して通信処理を行なうことを特徴とする携帯端末装置。
【請求項１５】
前記カメラユニットの装着を検知する検知手段を更に備え、
前記検知手段により前記カメラユニットの装着を検知した場合に、前記端末側記憶手段に記憶されている識別情報と前記情報取得手段が取得した識別情報との相違を判断する請求項１４に記載の携帯端末装置。
【請求項１６】
前記カメラユニットが保持するアドレス情報を取得し、該アドレス情報が示す通信先に通信処理を行なうことを特徴とする請求項１４又は１５に記載の携帯端末装置。
【請求項１７】
前記カメラユニットを制御する制御手段を更に備え、
前記通信処理により前記カメラユニットを制御するプログラム又はデータを取得し、前記制御手段は該取得したプログラム又はデータに基づき前記カメラユニットを制御する請求項１４ないし１６のいずれかに記載の携帯端末装置。
【請求項１８】
電話機能を前記通信手段に更に備え、
前記通信手段が前記電話機能実行中に前記相違を判断した場合、該実行が終了した後、前記通信手段により前記通信先に通信処理を行なう請求項１２ないし１７のいずれかに記載の携帯端末装置。
【請求項１９】
所定の通信先を特定するアドレス情報を保持していると共に撮像手段を有するカメラユニットが、着脱自在で交換可能になっている携帯端末装置であって、
アドレス情報を一時的に記憶するアドレス情報一時保存領域と、アドレス情報を継続的に記憶するアドレス情報継続保存領域とを有する記憶手段と、
前記カメラユニットが保持するアドレス情報を取得して、このアドレス情報を前記アドレス情報一時保存領域に格納する情報取得手段と、
前記アドレス情報一時保存領域と前記アドレス情報継続保存領域のそれぞれに記憶されているアドレス情報が相違するかどうかについて比較して、この結果を出力する比較手段と、
回線網に接続可能な通信手段と、
前記比較手段から前記アドレス情報一時保存領域と前記アドレス情報継続保存領域のそれぞれに記憶されているアドレス情報が相違する旨の結果を受信した場合に、アドレス情報一時保存領域のアドレス情報が示す通信先との間で前記通信手段に所定の通信処理を行なわせるように制御すると共に、アドレス情報継続保存領域のアドレス情報をアドレス情報一時保存領域のアドレス情報に変更して記憶させるように制御する制御手段と
を備えていることを特徴とする携帯端末装置。
【請求項２０】
所定の通信先を特定するアドレス情報、及びカメラユニットを識別するための識別情報を保持していると共に撮像手段を有するカメラユニットが、着脱自在で交換可能になっている携帯端末装置であって、
アドレス情報を一時的に記憶するアドレス情報一時保存領域と、識別情報を一時的に記憶する識別情報一時保存領域と、識別情報を継続的に記憶する識別情報継続保存領域とを有する記憶手段と、
前記カメラユニットが保持するアドレス情報と識別情報を取得して、アドレス情報を前記アドレス情報一時保存領域に格納すると共に、識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報一時保存領域のアドレス情報が示す通信先との間で通信手段に所定の通信処理を行なわせるように制御すると共に、識別情報継続保存領域の識別情報を識別情報一時保存領域の識別情報に変更して記憶させるように制御する制御手段と
を備えていることを特徴とする携帯端末装置。
【請求項２１】
カメラユニットを識別するための識別情報を保持していると共に撮像手段を有するカメラユニットが、着脱自在で交換可能になっている携帯端末装置であって、
識別情報を一時的に記憶する識別情報一時保存領域と、識別情報を継続的に記憶する識別情報継続保存領域と、所定の通信先を特定するアドレス情報が予め記憶されているアドレス情報継続保存領域とを有する記憶手段と、
前記カメラユニットが出力した前記識別情報を取得して、この識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報が示す通信先との間で、前記通信手段に所定の通信を行なわせるように制御すると共に、識別情報継続保存領域の識別情報を識別情報一時保存領域の識別情報に変更して記憶させるように制御する制御手段と
を備えていることを特徴とする携帯端末装置。
【発明の詳細な説明】
【技術分野】
【０００１】
本発明は、カメラユニットが交換可能になっているような携帯端末装置用カメラユニットシステム、並びに、このような携帯端末装置用カメラユニットシステムに用いられる携帯端末装置及びカメラユニットに関するものである。
【背景技術】
【０００２】
従来において、撮像機能を備えるような携帯端末装置として、例えば、撮像機能を備える携帯電話機やＰＤＡ（Ｐｅｒｓｏｎａｌ  Ｄｉｇｉｔａｌ  Ａｓｓｉｓｔａｎｔ）があった。このような携帯端末装置に係る第１の従来技術として、ＣＣＤ（Ｃｈａｒｇｅ  Ｃｏｕｐｌｅｄ  Ｄｅｖｉｃｅ）等の撮像素子を用いた撮像手段が、携帯端末装置の筐体に固定して設けられるようにしたものがあった。
【０００３】
前記第１の従来技術のように、撮像手段が筐体に固定して設けられた携帯端末装置は、撮像手段が設けられた分だけ筐体が大型化して携帯性が損なわれる。そのため、第２の従来技術として、撮像手段を有するカメラユニットを着脱式にして、撮像機能を利用しないときには、このカメラユニットを取り外しておくことにより、携帯性を損なわないようにしたものがあった（例えば、特許文献１参照）。
【０００４】
また、前記第１及び第２の従来技術のような携帯端末装置とは異なるが、前記第２の従来技術において、カメラユニットが携帯端末装置に対して着脱式になっていたのと同様に、第３の従来技術として、レンズユニットが着脱式になっており、さらに、このような着脱式のレンズユニットを、他の種類のレンズユニットに交換することができるにようになっているビデオカメラがあった（例えば、特許文献２参照）。
【０００５】
この第３の従来技術に係るビデオカメラ及びレンズユニットのそれぞれは、マイクロコンピュータを備えており、レンズユニットがビデオカメラに装着されると、レンズユニット側のマイクロコンピュータとビデオカメラ側のマイクロコンピュータが、互いに回路接続するようになっていた。
【０００６】
そして、レンズユニット側のマイクロコンピュータは、その内部の記憶手段に、このレンズユニットに関する特有の情報を保持しており、この特有の情報を、回路接続されたビデオカメラに送信するようになっていた。このため、ビデオカメラは、装着可能なレンズユニットのいずれに対しても、そのレンズユニットに関する特有の情報を取得して、レンズユニットに対応する一定の処理動作を行なうことができるようになっていた。
【特許文献１】特開平１１−１３６６５３号公報
【特許文献２】特開平９−３３７９３号公報
【発明の開示】
【発明が解決しようとする課題】
【０００７】
しかしながら、前記第１の従来技術のように、撮像手段が筐体に固定して設けられた携帯端末装置にあっては、撮像手段たるカメラユニットが着脱自在になっておらず、ユーザーが撮像画素数の異なる複数のカメラユニットから自己の希望するものを選択、交換することはできなかった。
【０００８】
また、前記第２の従来技術のように、カメラユニットが携帯端末装置に対して着脱式のものにあっては、カメラユニット側に該カメラユニットを制御する処理動作のためのソフトウエアを予め記憶する必要があった。また、複数種類の携帯端末装置に装着可能にしようとすると、携帯端末装置の種類に応じて該ソフトウエアを予め複数記憶する必要もあった。
【０００９】
そこで、本発明は、カメラユニットを着脱可能な携帯端末装置と該カメラユニットにおいて、装着されたカメラユニットに応じて携帯端末装置が最適な処理動作を行なうことができる携帯端末装置用カメラユニットシステム、携帯端末装置、及び、カメラユニットを提供することを課題とするものである。
【課題を解決するための手段】
【００１０】
上記課題を解決するために本発明は、
カメラユニットと該カメラユニットを装着可能な携帯端末装置とからなる携帯端末装置用カメラユニットシステムであって、
前記カメラユニットは、
撮像手段と、
所定の通信先を特定するアドレス情報を記憶するカメラ側記憶手段とを備え、
前記携帯端末装置は、
通信手段と、
前記カメラ側記憶手段から前記アドレス情報を取得する情報取得手段と、
前記アドレス情報を記憶する端末側記憶手段とを備え、
前記携帯端末装置は、前記端末側記憶手段に記憶されているアドレス情報と前記情報取得手段が取得したアドレス情報とが相違した場合、前記通信手段により前記情報取得手段が取得したアドレス情報が示す通信先に通信処理を行なうことを特徴とするものである。
【００１１】
また、本発明による携帯端末装置用カメラユニットシステムは、
前記携帯端末装置は、前記カメラユニットの装着を検知する検知手段を更に備え、
前記携帯端末装置は、前記検知手段により前記カメラユニットの装着を検知した場合に、前記端末側記憶手段に記憶されているアドレス情報と前記情報取得手段が取得したアドレス情報との相違を判断するようになっていてもよい。
【００１２】
また、上記課題を解決するために本発明は、
カメラユニットと該カメラユニットを装着可能な携帯端末装置とからなる携帯端末装置用カメラユニットシステムであって、
前記カメラユニットは、
撮像手段と、
前記カメラユニットを識別する識別情報を記憶するカメラ側記憶手段とを備え、
前記携帯端末装置は、
通信手段と、
前記カメラ側記憶手段から前記識別情報を取得する情報取得手段と、
前記識別情報を記憶する端末側記憶手段とを備え、
前記携帯端末装置は、前記端末側記憶手段に記憶されている識別情報と前記情報取得手段が取得した識別情報とが相違した場合、前記通信手段により所定の通信先に対して通信処理を行なうことを特徴とするものである。
【００１３】
また、本発明による携帯端末装置用カメラユニットシステムは、
前記携帯端末装置は、前記カメラユニットの装着を検知する検知手段を更に備え、
前記携帯端末装置は、前記検知手段により前記カメラユニットの装着を検知した場合に、前記端末側記憶手段に記憶されている識別情報と前記情報取得手段が取得した識別情報との相違を判断するようになっていてもよい。
【００１４】
また、本発明による携帯端末装置用カメラユニットシステムは、前記携帯端末装置は、前記カメラユニット側に記憶されているアドレス情報を取得し、該アドレス情報が示す通信先に通信処理を行なうようになっていてもよい。
【００１５】
また、本発明による携帯端末装置用カメラユニットシステムは、
前記携帯端末装置は、前記カメラユニットを制御する制御手段を更に備え、
前記通信処理により前記カメラユニットを制御するプログラム又はデータを取得し、前記制御手段は該取得したプログラム又はデータに基づき前記カメラユニットを制御するようになっていてもよい。
【００１６】
また、本発明による携帯端末装置用カメラユニットシステムは、
前記携帯端末装置は、電話機能を前記通信手段に更に備え、
前記通信手段が前記電話機能実行中に前記相違を判断した場合、該実行が終了した後、前記通信手段により前記通信先に通信処理を行なうようになっていてもよい。
【００１７】
また、上記課題を解決するために本発明は、
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
所定の通信先を特定するアドレス情報を記憶したカメラ側記憶手段と、
前記撮像手段を制御すると共に、前記アドレス情報を前記カメラ側記憶手段から読み出して出力するカメラ側制御手段とを有し、
前記携帯端末装置は、
前記アドレス情報を一時的に記憶するアドレス情報一時保存領域と、アドレス情報を予め継続的に記憶するアドレス情報継続保存領域とを有する端末側記憶手段と、
前記カメラ側制御手段が出力した前記アドレス情報を取得して、このアドレス情報を前記アドレス情報一時保存領域に格納する情報取得手段と、
前記アドレス情報一時保存領域と前記アドレス情報継続保存領域のそれぞれに記憶されているアドレス情報が相違するかどうかについて比較して、この結果を出力する比較手段と、
回線網に接続可能な通信手段と、
前記比較手段から、前記アドレス情報一時保存領域と前記アドレス情報継続保存領域のそれぞれに記憶されているアドレス情報が相違する旨の結果を受信した場合に、アドレス情報一時保存領域のアドレス情報が示す通信先との間で前記通信手段に所定の通信処理を行なわせるように制御すると共に、アドレス情報継続保存領域のアドレス情報をアドレス情報一時保存領域のアドレス情報に変更して記憶させるように制御する端末側制御手段とを有することを特徴とするものである。
【００１８】
また、上記課題を解決するために本発明は、
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
所定の通信先を特定するアドレス情報、及びカメラユニットを識別するための識別情報を記憶したカメラ側記憶手段と、
前記撮像手段を制御すると共に、前記アドレス情報と識別情報を前記カメラ側記憶手段から読み出して出力するカメラ側制御手段とを有し、
前記携帯端末装置は、
前記アドレス情報を一時的に記憶するアドレス情報一時保存領域と、前記識別情報を一時的に記憶する識別情報一時保存領域と、識別情報を継続的に記憶する識別情報継続保存領域とを有する端末側記憶手段と、
前記カメラ側制御手段が出力した前記アドレス情報と前記識別情報を取得して、アドレス情報を前記アドレス情報一時保存領域に格納すると共に、識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報一時保存領域のアドレス情報が示す通信先との間で前記通信手段に所定の通信を行なわせるように制御すると共に、識別情報継続保存領域の識別情報を識別情報一時保存領域の識別情報に変更して記憶させるように制御する端末側制御手段とを有することを特徴とするものである。
【００１９】
また、上記課題を解決するために本発明は、
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
カメラユニットを識別するための識別情報を記憶したカメラ側記憶手段と、
前記撮像手段を制御すると共に、前記識別情報を前記カメラ側記憶手段から読み出して出力するカメラ側制御手段とを有し、
前記携帯端末装置は、
前記識別情報を一時的に記憶する識別情報一時保存領域と、識別情報を継続的に記憶する識別情報継続保存領域と、所定の通信先を特定するアドレス情報が予め記憶されているアドレス情報継続保存領域とを有する端末側記憶手段と、
前記カメラ側制御手段が出力した前記識別情報を取得して、この識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報が示す通信先との間で、前記通信手段に所定の通信を行なわせるように制御すると共に、識別情報継続保存領域の識別情報を識別情報一時保存領域の識別情報に変更して記憶させるように制御する端末側制御手段とを有することを特徴とするものである。
【００２０】
また、上記課題を解決するために本発明は、
撮像手段を有し、所定の携帯端末装置に着脱自在で交換可能になっているカメラユニットであって、
所定の通信先を特定するアドレス情報、及び／又はカメラユニットを識別するための識別情報を記憶したカメラ側記憶手段と、
前記撮像手段を制御すると共に、前記アドレス情報及び／又は識別情報を前記カメラ側記憶手段から読み出して出力するカメラ側制御手段とを備えていることを特徴とするものである。
【００２１】
また、上記課題を解決するために本発明は、
カメラユニットと該カメラユニットを装着可能な携帯端末装置とからなる携帯端末装置用カメラユニットシステムに用いられる携帯端末装置であって、
通信手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記通信手段により前記情報取得手段が取得したアドレス情報が示す通信先に通信処理を行なうことを特徴とするものである。
【００２２】
また、本発明による携帯端末装置は、
前記カメラユニットの装着を検知する検知手段を更に備え、
前記検知手段により前記カメラユニットの装着を検知した場合に、前記端末側記憶手段に記憶されているアドレス情報と前記情報取得手段が取得したアドレス情報との相違を判断するようになっていてもよい。
【００２３】
また、上記課題を解決するために本発明は、
カメラユニットと該カメラユニットを装着可能な携帯端末装置とからなる携帯端末装置用カメラユニットシステムに用いられる携帯端末装置であって、
通信手段と、
前記カメラユニットが保持する識別情報を取得する情報取得手段と、
前記識別情報を記憶する端末側記憶手段とを備え、
前記端末側記憶手段に記憶されている識別情報と前記情報取得手段が取得した識別情報とが相違した場合、前記通信手段により所定の通信先に対して通信処理を行なうことを特徴とするものである。
【００２４】
また、本発明による携帯端末装置は、
前記カメラユニットの装着を検知する検知手段を更に備え、
前記検知手段により前記カメラユニットの装着を検知した場合に、前記端末側記憶手段に記憶されている識別情報と前記情報取得手段が取得した識別情報との相違を判断するようになっていてもよい。
【００２５】
また、本発明による携帯端末装置は、前記カメラユニットが保持するアドレス情報を取得し、該アドレス情報が示す通信先に通信処理を行なうようになっていてもよい。
【００２６】
また、本発明による携帯端末装置は、
前記カメラユニットを制御する制御手段を更に備え、
前記通信処理により前記カメラユニットを制御するプログラム又はデータを取得し、前記制御手段は該取得したプログラム又はデータに基づき前記カメラユニットを制御するようになっていてもよい。
【００２７】
また、本発明による携帯端末装置は、
電話機能を前記通信手段に更に備え、
前記通信手段が前記電話機能実行中に前記相違を判断した場合、該実行が終了した後、前記通信手段により前記通信先に通信処理を行なうようになっていてもよい。
【００２８】
また、上記課題を解決するために本発明は、
所定の通信先を特定するアドレス情報を保持していると共に撮像手段を有するカメラユニットが、着脱自在で交換可能になっている携帯端末装置であって、
アドレス情報を一時的に記憶するアドレス情報一時保存領域と、アドレス情報を継続的に記憶するアドレス情報継続保存領域とを有する記憶手段と、
前記カメラユニットが保持するアドレス情報を取得して、このアドレス情報を前記アドレス情報一時保存領域に格納する情報取得手段と、
前記アドレス情報一時保存領域と前記アドレス情報継続保存領域のそれぞれに記憶されているアドレス情報が相違するかどうかについて比較して、この結果を出力する比較手段と、
回線網に接続可能な通信手段と、
前記比較手段から前記アドレス情報一時保存領域と前記アドレス情報継続保存領域のそれぞれに記憶されているアドレス情報が相違する旨の結果を受信した場合に、アドレス情報一時保存領域のアドレス情報が示す通信先との間で前記通信手段に所定の通信処理を行なわせるように制御すると共に、アドレス情報継続保存領域のアドレス情報をアドレス情報一時保存領域のアドレス情報に変更して記憶させるように制御する制御手段とを備えていることを特徴とするものである。
【００２９】
また、上記課題を解決するために本発明は、
所定の通信先を特定するアドレス情報、及びカメラユニットを識別するための識別情報を保持していると共に撮像手段を有するカメラユニットが、着脱自在で交換可能になっている携帯端末装置であって、
アドレス情報を一時的に記憶するアドレス情報一時保存領域と、識別情報を一時的に記憶する識別情報一時保存領域と、識別情報を継続的に記憶する識別情報継続保存領域とを有する記憶手段と、
前記カメラユニットが保持するアドレス情報と識別情報を取得して、アドレス情報を前記アドレス情報一時保存領域に格納すると共に、識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報一時保存領域のアドレス情報が示す通信先との間で通信手段に所定の通信処理を行なわせるように制御すると共に、識別情報継続保存領域の識別情報を識別情報一時保存領域の識別情報に変更して記憶させるように制御する制御手段とを備えていることを特徴とするものである。
【００３０】
また、上記課題を解決するために本発明は、
カメラユニットを識別するための識別情報を保持していると共に撮像手段を有するカメラユニットが、着脱自在で交換可能になっている携帯端末装置であって、
識別情報を一時的に記憶する識別情報一時保存領域と、識別情報を継続的に記憶する識別情報継続保存領域と、所定の通信先を特定するアドレス情報が予め記憶されているアドレス情報継続保存領域とを有する記憶手段と、
前記カメラユニットが出力した前記識別情報を取得して、この識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報が示す通信先との間で、前記通信手段に所定の通信を行なわせるように制御すると共に、識別情報継続保存領域の識別情報を識別情報一時保存領域の識別情報に変更して記憶させるように制御する制御手段とを備えていることを特徴とするものである。
【００３１】
また、本発明による携帯端末装置用カメラユニットシステムは、
前記携帯端末装置は、前記カメラユニットが装着されているかどうかを検知する検知手段を備え、
前記端末側制御手段は、前記カメラユニットが装着されていることを前記検知手段が検知していない場合には、前記情報取得手段に前記アドレス情報の取得を行なわせないように制御するようになっていてもよい。
【００３２】
また、本発明による携帯端末装置用カメラユニットシステムは、
前記携帯端末装置は、前記カメラユニットが装着されているかどうかを検知する検知手段を備え、
前記端末側制御手段は、前記カメラユニットが装着されていることを前記検知手段が検知していない場合には、前記情報取得手段に前記アドレス情報及び前記識別情報の取得を行なわせないように制御するようになっていてもよい。
【００３３】
また、本発明による携帯端末装置用カメラユニットシステムは、
前記携帯端末装置は、前記カメラユニットが装着されているかどうかを検知する検知手段を備え、
前記端末側制御手段は、前記カメラユニットが装着されていることを前記検知手段が検知していない場合には、前記情報取得手段に前記識別情報の取得を行なわせないように制御するようになっていてもよい。
【００３４】
また、本発明による携帯端末装置用カメラユニットシステムは、
前記通信手段は、前記所定の通信処理を行なうことにより、この所定の通信処理の通信先が保持しているカメラ制御情報を取得して、これを前記端末側記憶手段に記憶させ、
前記端末側制御手段は、前記カメラ側制御手段が前記端末側記憶手段に記憶されている前記カメラ制御情報に基づいて処理動作を行なうように制御するようになっていてもよい。
【００３５】
また、本発明による携帯端末装置用カメラユニットシステムは、
前記通信手段は、通話機能を備えて、この通話機能による通話の通信を行なっているときに、前記所定の通信処理を行なうように前記端末側制御手段から命令された場合には、通話の通信が終了した後に所定の通信処理を開始するようになっていてもよい。
【００３６】
また、本発明による携帯端末装置は、
前記カメラユニットが装着されているかどうかを検知する検知手段を備え、
前記制御手段は、前記カメラユニットが装着されていることを前記検知手段が検知していない場合には、前記情報取得手段に前記アドレス情報の取得を行なわせないように制御するようになっていてもよい。
【００３７】
また、本発明による携帯端末装置は、
前記カメラユニットが装着されているかどうかを検知する検知手段を備え、
前記制御手段は、前記カメラユニットが装着されていることを前記検知手段が検知していない場合には、前記情報取得手段に前記アドレス情報及び前記識別情報の取得を行なわせないように制御するようになっていてもよい。
【００３８】
また、本発明による携帯端末装置は、
前記カメラユニットが装着されているかどうかを検知する検知手段を備え、
前記制御手段は、前記カメラユニットが装着されていることを前記検知手段が検知していない場合には、前記情報取得手段に前記識別情報の取得を行なわせないように制御するようになっていてもよい。
【００３９】
また、本発明による携帯端末装置は、
前記通信手段は、前記所定の通信処理を行なうことにより、この所定の通信処理の通信先が保持しているカメラ制御情報を取得して、これを前記記憶手段に記憶させ、
前記制御手段は、前記カメラユニットが前記記憶手段に記憶されている前記カメラ制御情報に基づいて動作するように制御するようになっていてもよい。
【００４０】
また、本発明による携帯端末装置は、
前記通信手段は、通話機能を備えて、この通話機能による通話の通信を行なっているときに、前記所定の通信処理を行なうように前記制御手段から命令された場合に、通話の通信が終了した後に、所定の通信処理を開始するようになっていてもよい。
【発明の効果】
【００４１】
このような本発明の携帯端末装置用カメラユニットシステム、並びに、このような携帯端末装置用カメラユニットシステムに用いられる携帯端末装置及びカメラユニットによれば、カメラユニットを装着した携帯端末装置が、そのカメラユニットに対応して最適な処理動作を行なうようにすることができる。
【発明を実施するための最良の形態】
【００４２】
以下、本発明に係る携帯端末装置用カメラユニットシステム、並びに、このような携帯端末装置用カメラユニットシステムに用いられる携帯端末装置及びカメラユニットの実施の形態について、図面に基づいて具体的に説明する。
【００４３】
図１ないし図６は、本発明の第１の実施の形態に係る、携帯電話機用カメラユニットシステム（携帯端末装置用カメラユニットシステムに相当）、並びに、このような携帯電話機用カメラユニットシステムに用いられる携帯電話機２（携帯端末装置に相当）、及びカメラユニット４について説明するために参照する図である。
【００４４】
図１に示すように、本実施の形態に係る携帯電話機２は、テンキー等により構成される操作手段６及びマイクロホン７を有する第１筐体８と、ＬＣＤ（液晶ディスプレイ）等の表示手段１０及びスピーカー１１を有する第２筐体１２が、互いに折畳み自在に連結されている。
【００４５】
操作手段６は、第１筐体８の操作面８ａに配置されている。また、第１筐体８におけるその長さ方向に平行であって、操作面８ａと互いに隣り合うような側面８ｂには、カメラユニット４に撮影動作を行なわせるためのレリーズスイッチ１４が設けられている。
【００４６】
図示しないが、第１筐体８と第２筐体１２は、互いに折畳んだ状態のときに、その操作面８ａと表示手段１０の表示面が互いに向き合うように重ねられて、操作面８ａ及び表示手段１０の表示面のそれぞれが、外部に露出しないようになっている。
【００４７】
また、図１に示すように、携帯電話機２は、カメラユニット４が着脱自在であって、このカメラユニット４を他の種類のものに交換することもできるようになっている。
【００４８】
このカメラユニット４は、不図示のＣＣＤ等の撮像素子と撮像レンズ４ａを有しており、撮像素子はカメラユニット４の内部に配置されている。そして、撮像レンズ４ａは撮像素子の撮像軸線上であって、この撮像軸線方向におけるこのカメラユニット４が有する長さの一方の端面に配置され、外部に露出するようになっている。また、このカメラユニット４は、その撮像軸線方向における長さ中間部の外周に雄ネジ部４ｂ（係合部に相当）が形成されている。
【００４９】
また、第１筐体８には、カメラユニット４の雄ネジ部４ｂに対応する雌ネジ部１６（装着部に相当）が、操作面８ａに開口するように設けられている。カメラユニット４は、その撮像レンズ４ａ側の端部とは反対側の端部から、この雌ネジ部１６に挿入して、雄ネジ部４ｂと雌ネジ部１６がネジ締結されることにより、第１筐体８に装着されるようになっている。
【００５０】
カメラユニット４は、第１筐体８に装着されると、その撮像軸線方向における撮像レンズ４ａ側の端部が、操作面８ａから突出した状態で固定されるので（図２参照）、図１に示すように、第２筐体１２には、折畳んだときに第１筐体８の操作面８ａと対向する面における雌ネジ部１６に対応する位置に、所定の形状の凹部１８が形成されている。この凹部１８の内部空間は、第１筐体８と第２筐体１２を互いに折畳んだときに、カメラユニット４の操作面８ａから突出する撮像レンズ４ａ側の端部を収納することができるように形成されている。
【００５１】
図２に示すように、カメラユニット４は、その撮像軸線方向における撮像レンズ４ａ側の端部と反対側の端部にコネクタ４ｃを有し、このコネクタ４ｃは、第１筐体８の内部の配線基板２０上に設けられたコネクタ２２と嵌合して、電気的に導通するようになっている。
【００５２】
図３に示すように、ユーザーが撮像機能を利用しないために、第１筐体８にカメラユニット４を装着しない場合には、このカメラユニット４に代えて、第１筐体８にカバーユニット２４を装着することができる。
【００５３】
このカバーユニット２４には、カメラユニット４の雄ネジ部４ｂと同一の雄ネジ部２４ｂ（係合部に相当）が形成されているので、カメラユニット４と同様に、第１筐体８の雌ネジ部１６にネジ締結することができるようになっている。
【００５４】
次に、携帯電話機２及びカメラユニット４の回路構成について説明する。図４は、携帯電話機２にカメラユニット４が装着されている状態の回路構成を示す図である。
【００５５】
カメラユニット４は、撮像手段２６、カメラ側記憶手段２８、及びこれらを制御するカメラ側制御手段３０を備えている。撮像手段２６は図１に基づいて上記に説明した撮像レンズ４ａ及び不図示の撮像素子等により構成されている。
【００５６】
図４に示すカメラ側記憶手段２８は、不揮発性のメモリであって、所定の通信先を特定するためのアドレス情報を記憶するようになっている。このようなアドレス情報には、ＵＲＬ（Ｕｎｉｆｏｒｍ  Ｒｅｓｏｕｒｃｅ  Ｌｏｃａｔｏｒ）のようなインターネット上のホームページの所在を指定するものの他に、特定の電話番号であったり、通信網に接続されている特定のサーバー等を指定するような通信網を介して接続可能な情報源の所在を特定するための他の表記法が含まれる。
【００５７】
カメラ側制御手段３０は、後述する携帯電話機２の情報取得手段３２から、カメラ側記憶手段２８のアドレス情報の引渡しを要求する旨の信号を受信した場合に、カメラ側記憶手段２８からアドレス情報を読み出して、このアドレス情報を情報取得手段３２に出力するようになっている。
【００５８】
また、カメラ側制御手段３０は、後述する携帯電話機２の端末側制御手段３６から命令を受信し、この命令に基づいて撮像手段２６を制御するようになっている。また、カメラ側制御手段３０は、端末側制御手段３６の命令に基づいて、撮像手段２６から画素ごとのデータとして出力される色彩に関するＲＧＢｒａｗデータに対して、ＡＥ（Ａｕｔｏ  Ｅｘｐｏｓｕｒｅ）処理や、ＡＷＢ（Ａｕｔｏ  Ｗｈｉｔｅ  Ｂａｌａｎｃｅ）処理を施したものを、後述する携帯電話機２の画像データ取得手段３８に出力するようになっている。
【００５９】
ここで、ＡＥ処理とは、露出を最適化する処理をいい、ＡＷＢ処理とは、光源の影響等を受けることにより画像中の白色が他の色彩を帯びて表示されることを、赤色ゲインや青色ゲイン等の調整により防ぐ処理をいう。
【００６０】
次に、図４の回路構成において携帯電話機２は、既に説明した操作手段６、マイクロホン７、表示手段１０、スピーカー１１、及びレリーズスイッチ１４の他に、情報取得手段３２、検知手段３４、端末側制御手段３６、画像データ取得手段３８、端末側記憶手段４０、比較手段４１、通信手段４２、及び電源４４を備えている。
【００６１】
図２に示すように、携帯電話機２（第１筐体８）の雄ネジ部１６にカメラユニット４が装着されて、カメラユニット４のコネクタ４ｃが配線基板２０のコネクタ２２に嵌合し、図４に示す携帯電話機２の情報取得手段３２、端末側制御手段３６、画像データ取得手段３８のそれぞれは、カメラユニット４のカメラ側制御手段３０と回路接続される。また、電源４４は、携帯電話機２にカメラユニット４が装着されると、携帯電話機２内の回路以外にも、このカメラユニット４と導通して電流を供給するようになっている。
【００６２】
検知手段３４は、図２及び図３中において図示されていないが、図２に示すように、カメラユニット４が携帯電話機２に装着されている場合には、これを検出して、図４に示すように、カメラユニット４が装着されている旨の装着信号を端末側制御手段３６に継続的に出力するようになっている。
【００６３】
図３に示すように、第１筐体８の雌ネジ部１６にカバーユニット２４が装着されたような場合、または、図示しないが第１筐体８の雌ネジ部１６に何も装着されていないような場合には、検知手段３４は、端末側制御手段３６に対して装着信号は出力しない。このような動作を行なう検知手段３４としては、光学的センサや磁気的センサ、又は機械的スイッチ等を用いることができる。
【００６４】
図４に示す携帯電話機２の情報取得手段３２は、端末側制御手段３６からの命令を受信すると、カメラ側制御手段３０に対して、カメラ側記憶手段２８のアドレス情報を引き渡すように要求する信号を出力して、カメラ側制御手段３０にカメラ側記憶手段２８のアドレス情報を出力させるようになっている。
【００６５】
すなわち、情報取得手段３２は、カメラ側制御手段３０を介してカメラ側記憶手段２８のアドレス情報を読み出すようになっている。そして、情報取得手段３２は、読み出したアドレス情報を、後述する端末側記憶手段４０のアドレス情報一時保存領域４６ａ（図５参照）に格納するようになっている。
【００６６】
端末側記憶手段４０は、図５に示すように、揮発性のＳＤＲＡＭ４６（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）と、不揮発性で記憶内容を書き換えることができるフラッシュメモリ４８を備えて構成されている。ＳＤＲＡＭ４６には、アドレス情報一時保存領域４６ａが設けられており、フラッシュメモリ４８にはアドレス情報継続保存領域４８ａが設けられている。
【００６７】
端末側記憶手段４０は、情報取得手段３２から受信したアドレス情報を、直ちにＳＤＲＡＭ４６のアドレス情報一時保存領域４６ａに記憶すると共に、このアドレス情報一時保存領域４６ａに記憶したアドレス情報と、フラッシュメモリ４８のアドレス情報継続保存領域４８ａに記憶されているアドレス情報のそれぞれを、図４に示すように、比較手段４１に出力するようになっている。
【００６８】
ここで、フラッシュメモリ４８のアドレス情報継続保存領域４８ａに記憶されているアドレス情報は、後述するような端末側制御手段３６の処理動作により記憶されていたものである。
【００６９】
比較手段４１は、ＳＤＲＡＭ４６のアドレス情報一時保存領域４６ａに記憶されたアドレス情報と、フラッシュメモリ４８のアドレス情報継続保存領域４８ａに記憶されていたアドレス情報のそれぞれを端末側記憶手段４０から受信すると、これらが相違するかどうかについて比較し、このように比較した結果を端末側制御手段３６に出力するようになっている。
【００７０】
通信手段４２は、図示しない最寄の基地局と無線の通信を行なうことにより、公衆回線網等の回線網に接続することができるようになっている。また、マイクロホン７及びスピーカー１１を用いて、通話の通信を行なうようにしてもよい。
【００７１】
また、通信手段４２は、端末側制御手段３６からの命令に基づいて、端末側記憶手段４０のＳＤＲＡＭ４６におけるアドレス情報一時保存領域４６ａに記憶されているアドレス情報を読み込み、このアドレス情報の通信先との通信を開始して、その通信先からカメラ制御情報や制御プログラムを取得するようになっている。
【００７２】
通信手段４２は、このような取得したカメラ制御情報や制御プログラムのそれぞれを、図５に示すように、端末側記憶手段４０におけるフラッシュメモリ４８のカメラ制御情報領域４８ｂ及びプログラム領域４８ｃに格納するようになっている。
【００７３】
ここで、カメラ制御情報とは、携帯電話機２に接続されているカメラユニット４に対して、最適化されたＡＥ処理及びＡＷＢ処理などの画像処理に関する制御情報をいい、画像の明るさ基準値や、シャッターＭａｘ値やゲインＭａｘ値なども含まれている。
【００７４】
また、通信手段４２は、図４に示すマイクロホン７及びスピーカー１１により、通話の通信を行なっているときに、端末側制御手段３６から、アドレス情報一時保存領域４６ａに記憶されているアドレス情報の通信先との通信を行なうように命令された場合には、通話の通信が終了した後に、アドレス情報の通信先との通信を開始するようになっている。
【００７５】
次に、端末側制御手段３６は、検知手段３４から装着信号を受信しているかどうかに基づいて、携帯電話機２にカメラユニット４が装着されているかどうかを判断するようになっており、また、カメラユニット４が装着されている状態で、操作手段６によりカメラモードを起動する操作が行なわれると、情報取得手段３２に命令して所定の処理動作を行なわせるようになっている。
【００７６】
また、端末側制御手段３６は、比較手段４１から、端末側記憶手段４０のＳＤＲＡＭ４６におけるアドレス情報一時保存領域４６ａに記憶されたアドレス情報と、フラッシュメモリ４８のアドレス情報継続保存領域４８ａに記憶されていたアドレス情報が相違するとの結果を受信すると、通信手段４２に命令して、アドレス情報一時保存領域４６ａのアドレス情報が示す通信先との通信を行なわせるようになっている。
【００７７】
そして、端末側制御手段３６は、端末側記憶手段４０のフラッシュメモリ４８におけるアドレス情報継続保存領域４８ａに記憶されていたアドレス情報を、ＳＤＲＡＭ４６におけるアドレス情報一時保存領域４６ａに記憶されたアドレス情報と同一の内容に変更して記憶させるようになっている（図５参照）。
【００７８】
端末側制御手段３６は、操作手段６によりカメラモードを起動させる操作が行われた後においては、カメラユニット４のカメラ側制御手段３０が、端末側記憶手段４０に記憶されているカメラ制御情報に基づいて処理動作を行なうよう制御するようになっている。
【００７９】
また、端末側制御手段３６は、画像データ取得手段３８に対して、この画像データ取得手段３８が行なう画像データの処理を、端末側記憶手段４０のカメラ制御情報領域４８ｂが保持するカメラ制御情報に基づいて行なうよう命令するようになっている。
【００８０】
画像データ取得手段３８は、端末側制御手段３６からの命令を受信すると、端末側記憶手段４０に記憶されているカメラ制御情報に対応するデータを算出したり、端末側記憶手段４０に記憶されているプログラム等の中から、カメラ制御情報に対応するものを選択して引出したりするようになっており、カメラユニット４から画像データを受信すると、このようなカメラ制御情報やプログラム等に基づいて画像データの処理を施すようになっている。
【００８１】
すなわち、画像データ取得手段３８は、カメラ制御情報に対応して、画像データの取り出しクロック周波数、ＪＰＥＧ圧縮レート、電子ズーム比、又は表示手段１０に表示する際の間引き率等を変更し、画像データを処理するようになっている。
【００８２】
そして、画像データ取得手段３８は、カメラユニット４から受信した画像データ、又はこの画像データに所定の処理を施したものを表示手段１０に表示させたり、または、端末側記憶手段４０に記憶させたりするようになっている。また、画像データを、図示されない外部記憶手段に記憶させることができ、また、画像データを通信手段４２を介して外部サーバに保存しておくこともできる。
【００８３】
ここで、画像データ取得手段３８は、画像データを端末側記憶手段４０に記憶させる場合に、カメラユニット４から受信した画像データを、図５に示すように、一旦ＳＤＲＡＭ４６の画像データ領域４６ｄに記憶させた後、この画像データ領域４６ｄの画像データに対してＪＰＥＧ圧縮の処理を施してから、これをフラッシュメモリ４８の画像データ領域４８ｄに記憶させるようになっている。
【００８４】
次に、図６のフローチャートに基づき、携帯電話機２の操作手段６によりカメラモードを起動する操作が行なわれた後の端末側制御手段３６等の処理動作について説明する。
【００８５】
操作手段６により、携帯電話機２が有する様々な機能の中からカメラモードを選択する操作が行われると、端末側制御手段３６は、カメラユニット４が携帯電話機２に装着されているかどうかを、検知手段３４からの装着信号を受信しているかどうかに基づいて判断するようになっている（ステップＳ１０１）。
【００８６】
検知手段３４からの装着信号を受信している場合には（ステップＳ１０１のＹＥＳ）、カメラモードに移行してステップＳ１０２に進む。装着信号を受信していない場合には（ステップＳ１０１のＮＯ）、カメラモードに移行せずに処理動作を終了するようになっている。
【００８７】
カメラモードに移行したステップＳ１０２では、図４に示す端末側制御手段３６が情報取得手段３２に命令して、カメラユニット４のカメラ側制御手段３０を介してカメラ側記憶手段２８のアドレス情報を読み出させ、これを図５に示す端末側記憶手段４０のＳＤＲＡＭ４６におけるアドレス情報一時保存領域４６ａに記憶させるようになっている。
【００８８】
そして、図４に示す比較手段４１が、端末側記憶手段４０のＳＤＲＡＭ４６におけるアドレス情報一時保存領域４６ａに記憶されたアドレス情報と、フラッシュメモリ４８のアドレス情報継続保存領域４８ａに記憶されていたアドレス情報を比較し（図６中、ステップＳ１０３）、相違しない場合にはステップＳ１０６に移行するようになっている（ステップＳ１０３のＮＯ）。
【００８９】
また、相違している場合には（ステップＳ１０３のＹＥＳ）、端末側制御手段３６は通信手段４２に命令して、端末側記憶手段４０のＳＤＲＡＭ４６におけるアドレス情報一時保存領域４６ａに記憶されたアドレス情報の通信先との通信を開始させるようになっている（ステップＳ１０４）。
【００９０】
そして、通信手段４２は、カメラ制御情報及び制御プログラム等を取得して、これをフラッシュメモリ４８のカメラ制御情報領域４８ｂ及びプログラム領域４８ｃ等に記憶させるようになっている（ステップＳ１０５）。
【００９１】
ステップＳ１０６ないしステップＳ１０９において、端末側制御手段３６は、図４に示す画像データ取得手段３８、及びカメラユニット４におけるカメラ側制御手段３０の処理動作を、フラッシュメモリ４８に記憶されているカメラ制御情報及び制御プログラム等に基づいて行なわせるようになっている。
【００９２】
すなわち、ステップＳ１０６では、表示手段１０によるプレビューが開始され、ステップＳ１０９においてカメラモードを終了する操作が行なわれるまで（ステップＳ１０９のＮＯ）、カメラユニット４の撮像手段２６が映す画像データは、カメラ側制御手段３０及び画像データ取得手段３８による所定の画像処理が施されて、表示手段１０に表示されるようになっている。
【００９３】
そして、ユーザーによりレリーズスイッチ１４が操作されると（ステップＳ１０７のＹＥＳ）、端末側制御手段３６は、そのときの画像データを端末側記憶手段４０に記憶させるようになっている（ステップＳ１０８）。携帯電話機２は、ステップＳ１０９において、カメラモードを終了する操作（ステップＳ１０９のＮＯ）が行なわれない限り、ステップＳ１０７及びステップＳ１０８の処理動作を繰り返すようになっている。
【００９４】
このような本実施の形態に係る携帯電話機用カメラユニットシステム、並びに、このような携帯電話機用カメラユニットシステムに用いられる携帯電話機２及びカメラユニット４によれば、携帯電話機２が、新たに装着された異なる種類のカメラユニット４に対して最適な処理動作を行なうことができないような状態のときでも、カメラユニット４のカメラ側記憶手段２８に記憶されているアドレス情報の通信先と通信を行なって、このカメラユニット４に対応するカメラ制御情報等を通信先から新たに取得するようになっているので、カメラユニット４に対応する最適な処理動作を行なうことができる。
【００９５】
また、カメラユニット４のアドレス情報と、携帯電話機２側に保存してあるアドレス情報との比較を行なって、両アドレス情報が相違している場合にのみ新たなカメラ制御情報や制御プログラムを取得するようにしたので、通信回数を最低限に抑えることができる。
【００９６】
次に、図１ないし図３、図５、図７及び図８に基づいて、本発明の第２の実施の形態に係る、携帯電話機用カメラユニットシステム（携帯端末装置用カメラユニットシステムに相当）、並びに、このような携帯電話機用カメラユニットシステムに用いられる携帯電話機５０（携帯端末装置に相当）、及びカメラユニット５２について説明する。前記第１の実施の形態に係る携帯電話機２及びカメラユニット４と同様の部分には同じ符号を付して説明し、同様の構成についての重複する説明は省略するものとする。
【００９７】
図７に示すように、本実施の形態に係る携帯電話機５０は、前記第１の実施の形態における検知手段３４に代えて判別手段５４を備えるようになっている点で、前記第１の実施の形態に係る携帯電話機２と異なっている。
【００９８】
また、本実施の形態に係る携帯電話機５０の情報取得手段５６及び端末側制御手段５８は、その処理動作の一部が、前記第１の実施の形態における情報取得手段３２及び端末側制御手段３６と異なっている。
【００９９】
すなわち、情報取得手段５６は、端末側制御手段５８の命令に基づいて、カメラユニット５２のカメラ側記憶手段２８からアドレス情報を読み出した後に、前記第１の実施の形態と異なり、このアドレス情報を保持するようになっている。
【０１００】
したがって、情報取得手段５６は、カメラユニット５２が携帯電話機５０に装着されている場合には、カメラユニット５２のカメラ側記憶手段２８からアドレス情報を読み出して、これを保持することができるが、カメラユニット５２が携帯電話機５０に装着されていない場合には、アドレス情報を読み出して保持することができない。
【０１０１】
判別手段５４は、情報取得手段５６がアドレス情報を保持することができたときには、カメラユニット５２が携帯電話機５０に装着されているものと判別し、その旨の装着信号を端末側制御手段５８に出力するようになっている。情報取得手段５６がアドレス情報を保持することができなかったときには、端末側制御手段５８に対して信号の出力は行なわない。
【０１０２】
端末側制御手段５８は、操作手段６によりカメラモードを起動させる操作が行われると、直ちに、情報取得手段５６にカメラユニット５２のカメラ側記憶手段２８からアドレス情報を読み出するよう命令するようになっている。
【０１０３】
また、端末側制御手段５８は、判別手段５４から、カメラユニット５２が携帯電話機５０に装着されている旨の装着信号を受信すると、情報取得手段５６に対して、保持しているアドレス情報を端末側記憶手段４０に格納するよう命令するようになっている。
【０１０４】
次に、図８のフローチャートに基づき、携帯電話機５０の操作手段６によりカメラモードを起動する操作が行なわれた後の端末側制御手段５８等の処理動作について説明する。
【０１０５】
操作手段６により、携帯電話機５０が有する様々な機能の中からカメラモードを選択する操作が行われると、情報取得手段５６は、端末側制御手段５８の命令に基づいて、直ちにカメラユニット５２のカメラ側記憶手段２８からアドレス情報を読み出すようになっている（ステップＳ２０１）。
【０１０６】
端末側制御手段５８は、判別手段５４からの装着信号を受信した場合には（ステップＳ２０２のＹＥＳ）、情報取得手段５６に、この情報取得手段５６が保持しているアドレス情報を端末側記憶手段４０に格納させると共に、カメラモードに移行してステップＳ２０３に進むようになっている。装着信号を受信しなかった場合には（ステップＳ２０２のＮＯ）、カメラモードに移行せずに処理動作を終了するようになっている。
【０１０７】
そして、携帯電話機５０及びカメラユニット５２は、カメラモードに移行した後におけるステップＳ２０３ないしステップｓ２０９において、前記第１の実施の形態における図６のステップＳ１０３ないしステップＳ１０９と同様の処理動作を行なうようになっている。
【０１０８】
このような本実施の形態に係る携帯電話機用カメラユニットシステム、並びに、このような携帯電話機用カメラユニットシステムに用いられる携帯電話機５０及びカメラユニット５２によれば、前記第１の実施の形態と同様に、携帯電話機５０が、新たに装着されたカメラユニット５２に対して最適な処理動作を行なうことができないような状態のときでも、カメラユニット５２のカメラ側記憶手段２８に記憶されているアドレス情報の通信先と通信を行なって、このカメラユニット５２に対応するカメラ制御情報等を新たに取得するようになっているので、携帯端末装置５０は、カメラユニット５２に対応する最適な処理動作を行なうことができる。
【０１０９】
次に、図１ないし図４、図９及び図１０に基づいて、本発明の第３の実施の形態に係る、携帯電話機用カメラユニットシステム（携帯端末装置用カメラユニットシステムに相当）、並びに、このような携帯電話機用カメラユニットシステムに用いられる携帯電話機６０（携帯端末装置に相当）、及びカメラユニット６２について説明する。前記第１の実施の形態に係る携帯電話機２及びカメラユニット４と同様の部分には同じ符号を付して説明し、同様の構成についての重複する説明は省略するものとする。
【０１１０】
図４に示すように、本実施の形態に係る携帯電話機６０及びカメラユニット６２の回路構成は、前記第１の実施の形態に係る携帯電話機２及びカメラユニット４と同様になっているが、本実施の形態に係るカメラユニット６２のカメラ側記憶手段２８は、前記第１の実施の形態と同様のアドレス情報だけでなく、カメラユニット６２の種類に対応するような識別情報も記憶している。
【０１１１】
また、携帯電話機６０の端末側記憶手段４０は、図９に示すように、ＳＤＲＡＭ６４及びフラッシュメモリ６６を備えて構成されている。ＳＤＲＡＭ６４には、前記第１の実施の形態と同様のアドレス情報一時保存領域６４ａ及び画像データ領域６４ｄが設けられているだけでなく、識別情報一時保存領域６４ｅが設けられている。
【０１１２】
フラッシュメモリ６６には、前記第１の実施の形態と同様のカメラ制御情報領域６６ｂ、プログラム領域６６ｃ及び画像データ領域６６ｄが設けられているだけでなく、識別情報継続保存領域６６ｅが設けられている。また、フラッシュメモリ６６には、前記第１の実施の形態におけるアドレス情報継続保存領域４８ａに相当するような記憶領域は設けられていない（図５参照）。
【０１１３】
図４に示す情報取得手段３２は、カメラユニット６２のカメラ側記憶手段２８から、アドレス情報だけでなく識別情報も読み込んで、これらを端末側記憶手段４０に格納するようになっている。このような識別情報は、図９に示すように、ＳＤＲＡＭ６４の識別情報一時保存領域６４ｅに記憶されるようになっている。
【０１１４】
また、図４に示す比較手段４１は、前記第１の実施の形態と異なり、アドレス情報を比較することに代えて、ＳＤＲＡＭ６４の識別情報一時保存領域６４ｅに記憶された識別情報と、フラッシュメモリ６６の識別情報継続保存領域６６ｅに記憶されていた識別情報とを比較するようになっている。
【０１１５】
また、端末側制御手段３６は、比較手段４１から、図９に示すＳＤＲＡＭ６４の識別情報一時保存領域６４ｅに記憶された識別情報と、フラッシュメモリ６６の識別情報継続保存領域６６ａに記憶されていた識別情報が互いに相違するとの結果を受信すると、フラッシュメモリ６６の識別情報継続保存領域６６ｅに記憶されていた識別情報を、ＳＤＲＡＭ６４における識別情報一時保存領域６４ｅの識別情報と同一の内容に変更して記憶させるようになっている
【０１１６】
次に、図１０のフローチャートに基づき、携帯電話機６０の操作手段６によりカメラモードを起動する操作が行なわれた後の端末側制御手段６０等の処理動作について説明する。
【０１１７】
ステップＳ３０１、及びステップＳ３０４ないしステップＳ３０９の処理動作は、前記第１の実施の形態における図６のステップＳ１０１、及びステップＳ１０４ないしステップＳ１０９と同様に行なわれる。
【０１１８】
そして、ステップＳ３０２では、図４に示すように、情報取得手段３２が、端末側制御手段３６からの命令に基づいて、カメラユニット６２のカメラ側制御手段３０を介してカメラ側記憶手段２８のアドレス情報及び識別情報を読み出し、図９に示すように、これらのそれぞれをＳＤＲＡＭ６４のアドレス情報一時保存領域６４ａ及び識別情報一時保存領域６４ｅに記憶させるようになっている。
【０１１９】
そして、図１０のステップＳ３０３において、比較手段４１は、端末側記憶手段４０のＳＤＲＡＭ６４における識別情報領域４６ａに記憶された識別情報と、フラッシュメモリ６６の識別情報領域６６ａに記憶されていた識別情報とを比較するようになっている。
【０１２０】
このような本実施の形態に係る携帯電話機用カメラユニットシステム、並びに、このような携帯電話機用カメラユニットシステムに用いられる携帯電話機６０及びカメラユニット６２によれば、前記第１及び第２の実施の形態と同様に、携帯電話機６０が、新たに装着されたカメラユニット６２に対して最適な処理動作を行なうことができないような状態のときでも、カメラユニット６２のカメラ側記憶手段２８に記憶されているアドレス情報の通信先と通信を行なって、このカメラユニット６２に対応するカメラ制御情報等を新たに取得するようになっているので、カメラユニット６２に対応する最適な処理動作を行なうことができる。
【０１２１】
また、本実施の形態において、アドレス情報はカメラユニット６２のカメラ側記憶手段２８に記憶している例を示したが、本発明はこれに限定されず、携帯電話機６０の端末側記憶手段４０に記憶しておいてもよい。
【０１２２】
次に、図１ないし図４、図１１に基づいて、本発明の第４の実施の形態に係る、携帯電話機用カメラユニットシステム（携帯端末装置用カメラユニットシステムに相当）、並びに、このような携帯電話機用カメラユニットシステムに用いられる携帯電話機１００（携帯端末装置に相当）、及びカメラユニット１０１について説明する。前記第１の実施の形態に係る携帯電話機２及びカメラユニット４と同様の部分には同じ符合を付して説明し、同様の構成についての重複する説明は省略するものとする。
【０１２３】
図４に示すように、本実施の形態に係る携帯電話機１００及びカメラユニット１０１の回路構成は、前記第１の実施の形態に係る携帯電話機２及びカメラユニット４と同様になっているが、本実施の形態に係る携帯電話機１００の端末側記憶装置４０は、前記第１の実施の形態で示したアドレス情報だけでなく、携帯電話機の機種に対応するような携帯端末機種情報も記憶している。
【０１２４】
また、本実施の形態に係るカメラユニット１０１のカメラ側記憶手段２８は、前記第１の実施の形態と同様のアドレス情報だけでなく、カメラユニット１０１の機種に対応したカメラ機種情報も記憶している。
【０１２５】
更に、携帯電話機１００の端末側記憶手段４０は、前記第３の実施の形態において、図９を用いて説明したのと同様に、ＳＤＲＡＭ６４とフラッシュメモリ６６を備えて構成されているが、本実施の形態においてＳＤＲＡＭ６４には、図示しないカメラ機種情報一時保存領域が設けられており、フラッシュメモリ６６には、図示しないカメラ機種情報保存領域が設けられている。
【０１２６】
図４に示す情報取得手段３２は、カメラユニット１０１のカメラ側記憶手段２８から、アドレス情報だけでなくカメラ機種情報も読み込んで、これらを端末側記憶手段４０に格納するようになっている。このようなカメラ機種情報は、ＳＤＲＡＭ６４のカメラ機種情報一時保存領域に記憶されるようになっている。
【０１２７】
次に、図１１のフローチャートに基づき、携帯電話機１００の操作手段６によりカメラモードを起動する操作が行なわれた後の端末側制御手段３６等の処理動作について説明する。
【０１２８】
ステップＳ４０１、ステップＳ４０３、ステップＳ４０４、ステップＳ４０７からステップＳ４１０の処理動作は、前記第１の実施の形態における図６のステップＳ１０１、ステップＳ１０３、ステップＳ１０４、ステップＳ１０６からステップＳ１０９と同様に行なわれる。
【０１２９】
そして、ステップＳ４０２では、図４に示すように、情報取得手段３２が、端末側制御手段３６からの命令に基づいて、カメラユニット１０１のカメラ側制御手段３０を介してカメラ側記憶手段２８のアドレス情報及びカメラ機種情報を読み出し、これらをそれぞれＳＤＲＡＭ６４のアドレス情報一時保存領域６４ａ及び図示しないカメラ機種情報一時保存領域に記憶させるようになっている。
【０１３０】
そして、ステップＳ４０５では、通信手段４２が、ＳＤＲＡＭ６４の図示しないカメラ機種情報一時保存領域またはフラッシュメモリ６６の図示しないカメラ機種情報保存領域のいずれかに記憶されているカメラ機種情報を読み出すか、端末側制御手段３６を介して間接的に読み出し、アドレス情報の通信先に該カメラ機種情報を送信する。また、通信手段４２は、端末側記憶手段４０に記憶されている携帯端末機種情報も同様に読み出し、アドレス情報の通信先に該携帯端末機種情報も同じく送信する。
【０１３１】
ここで、アドレス情報の通信先には、複数の種類のカメラユニット機種と携帯電話機の機種に対応したカメラ制御情報と制御プログラムとが各種保存されており、図示しない構成により送信されたカメラ機種情報と携帯端末機種情報とに応じて、最適なカメラ制御情報と制御プログラムを選択し携帯電話機１００に送信する。
【０１３２】
ステップＳ４０６では、通信手段４２が上記送信されたカメラ制御情報と制御プログラムとを取得し、これをフラッシュメモリ６６のカメラ制御情報領域６６ｂ及びプログラム領域６６ｃに記憶させるようになっている。
【０１３３】
このような本実施の形態に係る携帯電話機用カメラユニットシステム、並びに、このような携帯電話機用カメラユニットシステムに用いられる携帯電話機１００及びカメラユニット１０１によれば、前記第１ないし第３の実施の形態と同様に、携帯電話機１００が、新たに装着されたカメラユニット１０１に対して最適な処理動作を行なうことができないような状態のときでも、カメラユニット１０１のカメラ側記憶手段２８に記憶されているアドレス情報の通信先と通信を行なって、このカメラユニット１０１に対応するカメラ制御情報等を新たに取得するようになっているので、携帯電話機１００は、カメラユニット１０１に対応する最適な処理動作を行なうことができる。
【０１３４】
また、カメラユニット１０１の機種と携帯電話機１００の機種に応じて最適なカメラ制御情報を取得するようになっているので、例えば異なるキャリアから提供されている種々の携帯電話機に互換性のあるカメラユニット１０１を提供することができると共に、カメラユニットの種類や携帯電話機の機種に応じて異なるアドレスの送信先を用意する必要がない。
【０１３５】
なお、前記第２の実施の形態において、図７に示す比較手段４１は、アドレス情報を比較するようになっていたが、前記第３の実施の形態のように、識別情報を比較するようになっていてもよい。
【０１３６】
このような場合には、カメラユニット５２のカメラ側記憶手段２８は、アドレス情報だけでなく識別情報も記憶するようにし、携帯電話機５０における端末側記憶手段４０のＳＤＲＡＭ４６及びフラッシュメモリ４８のそれぞれに、識別情報一時保存領域及び識別情報継続保存領域を設けると共に、情報取得手段５６が、カメラ側記憶手段２８からアドレス情報と識別情報の両方を読み出して、これらを端末側記憶手段４０に格納するようにすることはいうまでもない。
【０１３７】
また、前記第３の実施の形態では、図１０中のステップＳ３０３において、比較手段４１が識別情報について比較して、この識別情報が相違していたような場合には（ステップＳ３０３のＹＥＳ）、ステップＳ３０４及びステップＳ３０５において、通信手段４２は、図９に示すＳＤＲＡＭ６４のアドレス情報一時保存領域６４ａに記憶されたアドレス情報の通信先と通信を行なうようになっていたが、予めフラッシュメモリ６６に所定のアドレス情報が記憶されているようにしておき、このようなフラッシュメモリ６６に記憶されている所定のアドレス情報の通信先と通信を行なうようになっていてもよい。
【０１３８】
また、前記第１または第４の実施の形態においては、本発明の携帯端末装置用カメラユニットシステムの携帯電話機２，１００側にカメラユニット４，１０１の装着を検出する検知手段３４を備えた例を示したが、本発明はこれに限定されず、例えば、カメラユニット４，１０１側に同様の検知手段を備え、検知した結果を該検知手段が直接携帯電話機２，１００側に通知するものや、該検知手段が一旦カメラユニット４，１０１側に通知し該カメラユニット４，１００が携帯電話機２，１００に通知するものであってもよい。
【０１３９】
さらに、カメラユニット４，１０１が携帯電話機２，１００に装着された際、電源４４からの電源供給を受けカメラユニット４，１０１が通電されたことに起因してカメラユニット４，１０１側のカメラ制御手段３０（例えばマイコン等であってもよい。）が端末側制御手段３６に通信パスや各種ポートを介して装着を通知するようにしてもよい。
【０１４０】
また、前記第１ないし第４の実施の形態においては、本発明の携帯端末装置用カメラユニットシステムの携帯電話機２，５０，６０，１００は端末側記憶手段４０における揮発性のＳＤＲＡＭ４６，６４のアドレス情報一時保存領域４６ａ，６４ａにアドレス情報を保存する例を示したが、本発明はこれに限定されず、不揮発性のメモリであってもよいのはいうまでもなく、例えば、携帯電話機２，５０，６０，１００側に独自に設けられたアドレス情報を専用に記憶する記憶手段や、携帯端末装置に着脱可能なメモリカードなどの記憶媒体に保存するようなものであってもよい。
【０１４１】
また、前記第１ないし第４の実施の形態においては、本発明の携帯端末装置用カメラユニットシステムは、図４及び図７に示すように、携帯電話機２，５０，６０，１００側の情報取得手段３２，５６により、カメラ側制御手段３０を介してカメラ側記憶手段２８からアドレス情報を取得する例を示したが、本発明はこれに限定されない。
【０１４２】
例えば、前記第１ないし第４の実施の形態とは異なる別の実施の形態として、図１２に示すように、カメラユニット１１１が、前記第１の実施の形態におけるカメラ側制御手段３０に代えて、カメラ側記憶手段２８とは接続されない画像処理手段１１２を備えるようになっていて、携帯電話機１１０の情報取得手段３２が、カメラユニット１１１のカメラ側記憶手段２８から直接アドレス情報を取得するようになっているか、又は、カメラ側記憶手段２８が情報取得手段３２に直接アドレス情報を提供するようになっていてもよい。
【０１４３】
或いは、前記第１の実施の形態の説明に用いた図４において、カメラユニット４のカメラ側記憶手段２８から、カメラ側制御手段３０を介して間接的に、アドレス情報を情報取得手段３２に提供するようになっていてもよい。また、情報取得手段３２，５６、比較手段４１、及び端末側記憶手段４０は、端末側制御手段３６，５８と一体化したマイコンなどで構成してもよいことはいうまでもない。
【０１４４】
また、前記第１ないし第４の実施の形態においては、本発明の携帯端末装置用カメラユニットシステムは、外部から取得したカメラ制御情報や制御プログラムを携帯電話機２，５０，６０，１００側の端末側記憶手段４０におけるフラッシュメモリ４８，６６に格納した例を示したが、本発明はこれに限定されず、例えば、カメラユニット側にカメラ制御情報や制御プログラムを格納する記憶手段を備え、該記憶手段に記憶されたカメラ制御情報や制御プログラムによってカメラ制御手段３０が撮像手段２６を制御したり、カメラ側制御手段３０が画像データ取得手段３８を制御したりしてもよい。
【０１４５】
また、前記第１ないし第４の実施の形態においては、本発明の携帯端末装置用カメラユニットシステムは、画像データ取得手段３８を携帯電話機２，５０，６０，１００側に設け、カメラ側制御手段３０をカメラユニット４，５２，６２，１０１側に設けた例を示したが、本発明はこれに限定されず、画像データ取得手段３８をカメラユニット４，５２，６２，１０１側に配置してもよい他、カメラユニット４，５２，６２，１０１側には撮像手段２６とカメラ側記憶手段２８のみを配置し、カメラ側制御手段３０を携帯電話機２，５０，６０，１００側に配置してもよい。
【０１４６】
また、前記第１ないし第４の実施の形態においては、本発明の携帯端末装置用カメラユニットシステムに用いられる携帯端末装置が、携帯電話機２，５０，６０，１００であるような場合について説明したが、本発明の携帯端末装置用カメラユニットシステムに用いることができる携帯端末装置は、このような携帯電話機２，５０，６０，１００に限定されず、例えば、通信機能を備えるＰＤＡのような他の携帯端末装置を用いるようになっていてもよい。
【図面の簡単な説明】
【０１４７】
【図１】本発明の第１ないし第４の実施の形態に係る携帯電話機２，５０，６０，１００、及びカメラユニット４，５２，６２，１０１を示す斜視図である。
【図２】本発明の第１ないし第４の実施の形態に係る携帯電話機２，５０，６０，１００の雌ネジ部１６にカメラユニット４，５２，６２，１０１を装着した状態の断面図であって、図１におけるＡ−Ａ線矢視の断面図である。
【図３】本発明の第１ないし第４の実施の形態に係る携帯電話機２，５０，６０，１００の雌ネジ部１６にカバーユニット２４を装着した状態の断面図であって、図１におけるＡ−Ａ線矢視の断面図である。
【図４】本発明の第１、第３及び第４の実施の形態に係る携帯電話機２，６０，１００及びカメラユニット４，６２，１０１の回路ブロック図である。
【図５】本発明の第１及び第２の実施の形態における端末側記憶手段４０の構成を示す概念図である。
【図６】本発明の第１の実施の形態における携帯電話機２及びカメラユニット４の動作手順を示すフローチャートである。
【図７】本発明の第２の実施の形態に係る携帯電話機５０及びカメラユニット５２の回路ブロック図である。
【図８】本発明の第２の実施の形態における携帯電話機５０及びカメラユニット５２の動作手順を示すフローチャートである。
【図９】本発明の第３及び第４の実施の形態における端末側記憶手段４０の構成を示す概念図である。
【図１０】本発明の第３の実施の形態における携帯電話機６０及びカメラユニット６２の動作手順を示すフローチャートである。
【図１１】本発明の第４の実施の形態における携帯電話機１００及びカメラユニット１０１の動作手順を示すフローチャートである。
【図１２】本発明の第１ないし第４の実施の形態とは異なる別の実施の形態に係る携帯電話機１１０及びカメラユニット１１１の回路ブロック図である。
【符号の説明】
【０１４８】
２  携帯電話機
４  カメラユニット
４ａ  撮像レンズ
４ｂ  雄ネジ部（係合部）
４ｃ  コネクタ
６  操作手段
７  マイクロホン
８  第１筐体
８ａ  操作面
８ｂ  側面
１０  表示手段
１１  スピーカー
１２  第２筐体
１４  レリーズスイッチ
１６  雌ネジ部（装着部）
１８  凹部
２０  配線基板
２２  コネクタ
２４  カバーユニット
２４ｂ  雄ネジ部（係合部）
２６  撮像手段
２８  カメラ側記憶手段
３０  カメラ側制御手段
３２  情報取得手段
３４  検知手段
３６  本体側制御手段
３８  画像データ取得手段
４０  端末側記憶手段
４１  比較手段
４２  通信手段
４４  電源
４６  ＳＤＲＡＭ
４６ａ  アドレス情報一時保存領域
４６ｄ  画像データ領域
４８  フラッシュメモリ
４８ａ  アドレス情報継続保存領域
４８ｂ  カメラ制御情報領域
４８ｃ  プログラム領域
４８ｄ  画像データ領域
５０  携帯電話機
５２  カメラユニット
５４  判別手段
５６  情報取得手段
５８  端末側制御装置
６０  携帯電話機
６２  カメラユニット
６４  ＳＤＲＡＭ
６４ａ  アドレス情報一時保存領域
６４ｄ  画像データ領域
６４ｅ  識別情報一時保存領域
６６  フラッシュメモリ
６６ｂ  カメラ制御情報領域
６６ｃ  プログラム領域
６６ｄ  画像データ領域
６６ｅ  識別情報継続保存領域
１００  携帯電話機
１０１  カメラユニット
１１０  携帯電話機
１１１  カメラユニット
１１２  画像処理手段
【図１】
2006067289.tif 000003
【図２】
2006067289.tif 000004
【図３】
2006067289.tif 000005
【図４】
2006067289.tif 000006
【図５】
2006067289.tif 000007
【図６】
2006067289.tif 000008
【図７】
2006067289.tif 000009
【図８】
2006067289.tif 000010
【図９】
2006067289.tif 000011
【図１０】
2006067289.tif 000012
【図１１】
2006067289.tif 000013
【図１２】
2006067289.tif 000014
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
カメラユニットと該カメラユニットを装着可能な携帯端末装置とからなる携帯端末装置用カメラユニットシステムであって、
前記カメラユニットは、
撮像手段と、
所定の通信先を特定するアドレス情報を記憶するカメラ側記憶手段とを備え、
前記携帯端末装置は、
通信手段と、
前記カメラ側記憶手段から前記アドレス情報を取得する情報取得手段と、
前記アドレス情報を記憶する端末側記憶手段とを備え、
前記携帯端末装置は、前記端末側記憶手段に記憶されているアドレス情報と前記情報取得手段が取得したアドレス情報とが相違した場合、前記通信手段により前記情報取得手段が取得したアドレス情報が示す通信先に通信処理を行なうことを特徴とする携帯端末装置用カメラユニットシステム。
【請求項２】
前記携帯端末装置は、前記カメラユニットの装着を検知する検知手段を更に備え、
前記携帯端末装置は、前記検知手段により前記カメラユニットの装着を検知した場合に、前記端末側記憶手段に記憶されているアドレス情報と前記情報取得手段が取得したアドレス情報との相違を判断する請求項１に記載の携帯端末装置用カメラユニットシステム。
【請求項３】
カメラユニットと該カメラユニットを装着可能な携帯端末装置とからなる携帯端末装置用カメラユニットシステムであって、
前記カメラユニットは、
撮像手段と、
所定の通信先を特定するアドレス情報、及びカメラユニットを識別するための識別情報を記憶するカメラ側記憶手段とを備え、
前記携帯端末装置は、
通信手段と、
前記カメラ側記憶手段から前記アドレス情報及び前記識別情報を取得する情報取得手段と、
前記アドレス情報及び前記識別情報を記憶する端末側記憶手段とを備え、
前記携帯端末装置は、前記端末側記憶手段に記憶されている識別情報と前記情報取得手段が取得した識別情報とが相違した場合、前記通信手段により前記情報取得手段が取得したアドレス情報が示す通信先に通信処理を行なうことを特徴とする携帯端末装置用カメラユニットシステム。
【請求項４】
前記携帯端末装置は、前記カメラユニットの装着を検知する検知手段を更に備え、
前記携帯端末装置は、前記検知手段により前記カメラユニットの装着を検知した場合に、前記端末側記憶手段に記憶されている識別情報と前記情報取得手段が取得した識別情報との相違を判断する請求項３に記載の携帯端末装置用カメラユニットシステム。
【請求項５】
前記携帯端末装置は、前記カメラユニットを制御する制御手段を更に備え、
前記通信処理により前記カメラユニットを制御するプログラム又はデータを取得し、前記制御手段は該取得したプログラム又はデータに基づき前記カメラユニットを制御する請求項１ないし４のいずれかに記載の携帯端末装置用カメラユニットシステム。
【請求項６】
前記携帯端末装置は、電話機能を前記通信手段に更に備え、
前記通信手段が前記電話機能実行中に前記相違を判断した場合、該実行が終了した後、前記通信手段により前記通信先に通信処理を行なう請求項１ないし５のいずれかに記載の携帯端末装置用カメラユニットシステム。
【請求項７】
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
所定の通信先を特定するアドレス情報を記憶したカメラ側記憶手段と、
前記撮像手段を制御すると共に、前記アドレス情報を前記カメラ側記憶手段から読み出して出力するカメラ側制御手段とを有し、
前記携帯端末装置は、
前記アドレス情報を一時的に記憶するアドレス情報一時保存領域と、アドレス情報を予め継続的に記憶するアドレス情報継続保存領域とを有する端末側記憶手段と、
前記カメラ側制御手段が出力した前記アドレス情報を取得して、このアドレス情報を前記アドレス情報一時保存領域に格納する情報取得手段と、
前記アドレス情報一時保存領域と前記アドレス情報継続保存領域のそれぞれに記憶されているアドレス情報が相違するかどうかについて比較して、この結果を出力する比較手段と、
回線網に接続可能な通信手段と、
前記比較手段から、前記アドレス情報一時保存領域と前記アドレス情報継続保存領域のそれぞれに記憶されているアドレス情報が相違する旨の結果を受信した場合に、アドレス情報一時保存領域のアドレス情報が示す通信先との間で前記通信手段に所定の通信処理を行なわせるように制御すると共に、アドレス情報継続保存領域のアドレス情報をアドレス情報一時保存領域のアドレス情報に変更して記憶させるように制御する端末側制御手段とを有する
ことを特徴とする携帯端末装置用カメラユニットシステム。
【請求項８】
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
所定の通信先を特定するアドレス情報、及びカメラユニットを識別するための識別情報を記憶したカメラ側記憶手段と、
前記撮像手段を制御すると共に、前記アドレス情報と前記識別情報を前記カメラ側記憶手段から読み出して出力するカメラ側制御手段とを有し、
前記携帯端末装置は、
前記アドレス情報を一時的に記憶するアドレス情報一時保存領域と、前記識別情報を一時的に記憶する識別情報一時保存領域と、識別情報を継続的に記憶する識別情報継続保存領域とを有する端末側記憶手段と、
前記カメラ側制御手段が出力した前記アドレス情報と前記識別情報を取得して、アドレス情報を前記アドレス情報一時保存領域に格納すると共に、識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報一時保存領域のアドレス情報が示す通信先との間で前記通信手段に所定の通信を行なわせるように制御すると共に、識別情報継続保存領域の識別情報を識別情報一時保存領域の識別情報に変更して記憶させるように制御する端末側制御手段とを有する
ことを特徴とする携帯端末装置用カメラユニットシステム。
【請求項９】
撮像手段を有するカメラユニットと携帯端末装置とを備え、前記カメラユニットが前記携帯端末装置に着脱自在で交換可能になっている携帯端末装置用カメラユニットシステムであって、
前記カメラユニットは前記撮像手段の他に、
カメラユニットを識別するための識別情報を記憶したカメラ側記憶手段と、
前記撮像手段を制御すると共に、前記識別情報を前記カメラ側記憶手段から読み出して出力するカメラ側制御手段とを有し、
前記携帯端末装置は、
前記識別情報を一時的に記憶する識別情報一時保存領域と、識別情報を継続的に記憶する識別情報継続保存領域と、所定の通信先を特定するアドレス情報が予め記憶されているアドレス情報継続保存領域とを有する端末側記憶手段と、
前記カメラ側制御手段が出力した前記識別情報を取得して、この識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報が示す通信先との間で、前記通信手段に所定の通信を行なわせるように制御すると共に、識別情報継続保存領域の識別情報を識別情報一時保存領域の識別情報に変更して記憶させるように制御する端末側制御手段とを有する
ことを特徴とする携帯端末装置用カメラユニットシステム。
【請求項１０】
カメラユニットと該カメラユニットを装着可能な携帯端末装置とからなる携帯端末装置用カメラユニットシステムに用いられる携帯端末装置であって、
通信手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記通信手段により前記情報取得手段が取得したアドレス情報が示す通信先に通信処理を行なうことを特徴とする携帯端末装置。
【請求項１１】
前記カメラユニットの装着を検知する検知手段を更に備え、
前記検知手段により前記カメラユニットの装着を検知した場合に、前記端末側記憶手段に記憶されているアドレス情報と前記情報取得手段が取得したアドレス情報との相違を判断する請求項１０に記載の携帯端末装置。
【請求項１２】
カメラユニットと該カメラユニットを装着可能な携帯端末装置とからなる携帯端末装置用カメラユニットシステムに用いられる携帯端末装置であって、
通信手段と、
前記カメラユニットが保持するアドレス情報及び識別情報を取得する情報取得手段と、
前記アドレス情報及び前記識別情報を記憶する端末側記憶手段とを備え、
前記端末側記憶手段に記憶されている識別情報と前記情報取得手段が取得した識別情報とが相違した場合、前記通信手段により前記情報取得手段が取得したアドレス情報が示す通信先に通信処理を行なうことを特徴とする携帯端末装置。
【請求項１３】
前記カメラユニットの装着を検知する検知手段を更に備え、
前記検知手段により前記カメラユニットの装着を検知した場合に、前記端末側記憶手段に記憶されている識別情報と前記情報取得手段が取得した識別情報との相違を判断する請求項１２に記載の携帯端末装置。
【請求項１４】
前記カメラユニットを制御する制御手段を更に備え、
前記通信処理により前記カメラユニットを制御するプログラム又はデータを取得し、前記制御手段は該取得したプログラム又はデータに基づき前記カメラユニットを制御する請求項１０ないし１３のいずれかに記載の携帯端末装置。
【請求項１５】
電話機能を前記通信手段に更に備え、
前記通信手段が前記電話機能実行中に前記相違を判断した場合、該実行が終了した後、前記通信手段により前記通信先に通信処理を行なう請求項１０ないし１４のいずれかに記載の携帯端末装置。
【請求項１６】
所定の通信先を特定するアドレス情報を保持していると共に撮像手段を有するカメラユニットが、着脱自在で交換可能になっている携帯端末装置であって、
アドレス情報を一時的に記憶するアドレス情報一時保存領域と、アドレス情報を継続的に記憶するアドレス情報継続保存領域とを有する記憶手段と、
前記カメラユニットが保持するアドレス情報を取得して、このアドレス情報を前記アドレス情報一時保存領域に格納する情報取得手段と、
前記アドレス情報一時保存領域と前記アドレス情報継続保存領域のそれぞれに記憶されているアドレス情報が相違するかどうかについて比較して、この結果を出力する比較手段と、
回線網に接続可能な通信手段と、
前記比較手段から前記アドレス情報一時保存領域と前記アドレス情報継続保存領域のそれぞれに記憶されているアドレス情報が相違する旨の結果を受信した場合に、アドレス情報一時保存領域のアドレス情報が示す通信先との間で前記通信手段に所定の通信処理を行なわせるように制御すると共に、アドレス情報継続保存領域のアドレス情報をアドレス情報一時保存領域のアドレス情報に変更して記憶させるように制御する制御手段と
を備えていることを特徴とする携帯端末装置。
【請求項１７】
所定の通信先を特定するアドレス情報、及びカメラユニットを識別するための識別情報を保持していると共に撮像手段を有するカメラユニットが、着脱自在で交換可能になっている携帯端末装置であって、
アドレス情報を一時的に記憶するアドレス情報一時保存領域と、識別情報を一時的に記憶する識別情報一時保存領域と、識別情報を継続的に記憶する識別情報継続保存領域とを有する記憶手段と、
前記カメラユニットが保持するアドレス情報と識別情報を取得して、アドレス情報を前記アドレス情報一時保存領域に格納すると共に、識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報一時保存領域のアドレス情報が示す通信先との間で通信手段に所定の通信処理を行なわせるように制御すると共に、識別情報継続保存領域の識別情報を識別情報一時保存領域の識別情報に変更して記憶させるように制御する制御手段と
を備えていることを特徴とする携帯端末装置。
【請求項１８】
カメラユニットを識別するための識別情報を保持していると共に撮像手段を有するカメラユニットが、着脱自在で交換可能になっている携帯端末装置であって、
識別情報を一時的に記憶する識別情報一時保存領域と、識別情報を継続的に記憶する識別情報継続保存領域と、所定の通信先を特定するアドレス情報が予め記憶されているアドレス情報継続保存領域とを有する記憶手段と、
前記カメラユニットが出力した前記識別情報を取得して、この識別情報を前記識別情報一時保存領域に格納する情報取得手段と、
前記識別情報一時保存領域と前記識別情報継続保存領域のそれぞれに記憶されている識別情報が相違するかどうかについて比較して、この結果を出力する比較手段と、
回線網に接続可能な通信手段と、
前記比較手段から前記識別情報一時保存領域と前記識別情報継続保存領域のそれぞれに記憶されている識別情報が相違する旨の結果を受信した場合に、前記アドレス情報が示す通信先との間で、前記通信手段に所定の通信を行なわせるように制御すると共に、識別情報継続保存領域の識別情報を識別情報一時保存領域の識別情報に変更して記憶させるように制御する制御手段と
を備えていることを特徴とする携帯端末装置。
【手続補正３】
【補正対象書類名】明細書
【補正対象項目名】００１２
【補正方法】変更
【補正の内容】
【００１２】
また、上記課題を解決するために本発明は、
カメラユニットと該カメラユニットを装着可能な携帯端末装置とからなる携帯端末装置用カメラユニットシステムであって、
前記カメラユニットは、
撮像手段と、
所定の通信先を特定するアドレス情報、及びカメラユニットを識別するための識別情報を記憶するカメラ側記憶手段とを備え、
前記携帯端末装置は、
通信手段と、
前記カメラ側記憶手段から前記アドレス情報及び前記識別情報を取得する情報取得手段と、
前記アドレス情報及び前記識別情報を記憶する端末側記憶手段とを備え、
前記携帯端末装置は、前記端末側記憶手段に記憶されている識別情報と前記情報取得手段が取得した識別情報とが相違した場合、前記通信手段により前記情報取得手段が取得したアドレス情報が示す通信先に通信処理を行なうことを特徴とするものである。
【手続補正４】
【補正対象書類名】明細書
【補正対象項目名】００１４
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２３
【補正方法】変更
【補正の内容】
【００２３】
また、上記課題を解決するために本発明は、
カメラユニットと該カメラユニットを装着可能な携帯端末装置とからなる携帯端末装置用カメラユニットシステムに用いられる携帯端末装置であって、
通信手段と、
前記カメラユニットが保持するアドレス情報及び識別情報を取得する情報取得手段と、
前記アドレス情報及び前記識別情報を記憶する端末側記憶手段とを備え、
前記端末側記憶手段に記憶されている識別情報と前記情報取得手段が取得した識別情報とが相違した場合、前記通信手段により前記情報取得手段が取得したアドレス情報が示す通信先に通信処理を行なうことを特徴とするものである。
【手続補正７】
【補正対象書類名】明細書
【補正対象項目名】００２５
【補正方法】削除
【補正の内容】